(57)【要約】【課題】人造ダイヤモンドをステンレス鋼やその他の金属に取り付けるには、接着剤による接着手段のみであるところ、超硬合金層及び人造ダイヤモンド層からなる成形複合材を用いて、超硬合金層をろう付けすることにより、測定子の先端に人造ダイヤモンドを取り付けることができ、従って、人造ダイヤモンド層が被測定物に直接接触することになり、ダイヤモンドのもつ耐摩耗性によって測定子の測定摩耗を抑制することができ、測定精度を長期間維持することができ、測定子の管理を容易に行うことができる。【解決手段】被測定物の測定に用いられるダイヤルゲージ用の測定子であって、上記測定子の先端部材は超硬合金層及び人造ダイヤモンド層からなる成形複合材からなり、該成形複合材は人造ダイヤモンド層を先端側に配して該超硬合金層を基部材にろう付けして固定され、該成形複合材は所定寸法に仕上加工されてなる。【選択図】　　　　図１
2004053418.tif 000002
【特許請求の範囲】
【請求項１】
被測定物の測定に用いられるダイヤルゲージ用の測定子であって、上記測定子の先端部材は超硬合金層及び人造ダイヤモンド層からなる成形複合材からなり、該成形複合材は人造ダイヤモンド層を先端側に配して該超硬合金層を基部材にろう付けして固定され、該成形複合材は所定寸法に仕上加工されてなるダイヤルゲージ用測定子。
【請求項２】
上記成形複合材と基部材とを嵌合孔部及び嵌合凸部からなる位置決め部により位置決めしてろう付けされてなる請求項１記載のダイヤルゲージ用測定子。
【請求項３】
被測定物の測定に用いられるダイヤルゲージ用の測定子の製造方法であって、超硬合金層及び人造ダイヤモンド層からなる成形複合材を測定子の先端部材として切断加工し、該成形複合材からなる先端部材を人造ダイヤモンド層を先端側に配して該超硬合金層を基部材にろう付けして固定し、該成形複合材を所定寸法に仕上加工することを特徴とするダイヤルゲージ用測定子の製造方法。
【発明の詳細な説明】
【０００１】
【発明の属する技術分野】
本発明は例えばてこ式ダイヤルゲージ、スピンドル式ダイヤルゲージに用いられるダイヤルゲージ用測定子及びその製造方法に関するものである。
【０００２】
【従来の技術】
この種のダイヤルゲージとして、図１４、図１５に示す、てこ式ダイヤルゲージ及びその測定子、図１６、図１７に示すスピンドル式ダイヤルゲージ及びその測定子が知られ、測定子Ｓの変位を歯車を利用して指針Ｔの回転角に拡大変換し、この指針Ｔにより目盛板Ｍの目盛を指示する測定器の一種である。
【０００３】
【発明が解決しようとする課題】
従来のダイヤルゲージ用測定子は、図１５、図１７の如く、ステンレス、その他の金属により製作されているため、被測定物への頻繁な直接接触により比較的短期間に摩耗することがあり、測定子の摩耗は直ちに測定誤差に影響する重大な測定誤差要因のため、随時に測定子の検査を管理実行しなければならず、測定作業の低下を生じさせることがあるという不都合を有している
【０００４】
【課題を解決するための手段】
本発明はこのような不都合を解決することを目的とするもので、本発明のうちで、請求項１記載の物の発明は、被測定物の測定に用いられるダイヤルゲージ用の測定子であって、上記測定子の先端部材は超硬合金層及び人造ダイヤモンド層からなる成形複合材からなり、該成形複合材は人造ダイヤモンド層を先端側に配して該超硬合金層を基部材にろう付けして固定され、該成形複合材は所定寸法に仕上加工されてなるダイヤルゲージ用測定子にある。
【０００５】
又、請求項２記載の物の発明は、上記成形複合材と基部材とを嵌合孔部及び嵌合凸部からなる位置決め部により位置決めしてろう付けされてなるダイヤルゲージ用測定子にある。
【０００６】
又、請求項３記載の方法の発明は、被測定物の測定に用いられるダイヤルゲージ用の測定子の製造方法であって、超硬合金層及び人造ダイヤモンド層からなる成形複合材を測定子の先端部材として切断加工し、該成形複合材からなる先端部材を人造ダイヤモンド層を先端側に配して該超硬合金層を基部材にろう付けして固定し、該成形複合材を所定寸法に仕上加工することを特徴とするダイヤルゲージ用測定子の製造方法にある。
【０００７】
【発明の実施の形態】
図１乃至図１３は本発明の実施の形態例を示し、図１乃至図７は第一形態例、図８乃至図１３は第二形態例である。
【０００８】
図１乃至図７に示す第一形態例は、本発明をてこ式ダイヤルゲージの測定子に適用したものであり、１は測定子であって、この場合、図１、図２の如く、測定子１は先端部材２及び基部材３からなり、この先端部材２は超硬合金層２ａ及び人造ダイヤモンド層２ｂからなる成形複合材Ｆからなり、例えば、この成形複合材Ｆは超硬合金製基材の表面にダイヤモンドを同時焼き付け粉末圧縮成形され、この成形複合材Ｆは人造ダイヤモンド層２ｂを先端側に配して超硬合金層２ａを基部材３にろう付けＲして固定され、この成形複合材Ｆは所定寸法に仕上加工されてなる。
【０００９】
この場合、上記成形複合材Ｆと基部材３とを嵌合孔部４ａ及び嵌合凸部４ｂからなる位置決め部４により位置決めしてろう付けＲされている。
【００１０】
この測定子１の製造方法を図３乃至図７により説明すると、先ず、図３の如く、超硬合金層２ａ及び人造ダイヤモンド層２ｂからなる成形複合材Ｆを測定子１の先端部材２としてワイヤー放電加工により刳り貫き切断加工すると共に図４の如く、測定子１の基部材３をステンレス鋼やその他の金属により製作し、次いで、図５の如く、上記成形複合材Ｆの超硬合金層２ａに嵌合凸部４ｂを形成すると共に基部材３に嵌合孔部４ａを形成し、次いで、図６の如く、嵌合孔部４ａに嵌合凸部４ｂを嵌合して位置決めし、成形複合材からなる先端部材２を人造ダイヤモンド層２ｂを先端側に配して超硬合金層２ａを基部材３にろう付けＲして固定し、次いで、図７に示す如く、この成形複合材Ｆを所定寸法に仕上加工して測定子１を製造するようにしている。
【００１１】
この実施の第一形態例は上記構成であるから、測定子１の先端部材２は超硬合金層２ａ及び人造ダイヤモンド層２ｂからなる成形複合材Ｆからなり、成形複合材Ｆは人造ダイヤモンド層２ｂを先端側に配して超硬合金層２ａを基部材３にろう付けＲして固定され、成形複合材Ｆは所定寸法に仕上加工されてなるから、人造ダイヤモンドをステンレス鋼やその他の金属に取り付けるには、接着剤による接着手段のみであるところ、超硬合金層２ａ及び人造ダイヤモンド層２ｂからなる成形複合材Ｆを用いて、超硬合金層２ａをろう付けすることにより、測定子１の先端に人造ダイヤモンドを取り付けることができ、従って、人造ダイヤモンド層２ｂが被測定物に直接接触することになり、ダイヤモンドのもつ耐摩耗性によって測定子１の測定摩耗を抑制することができ、測定精度を長期間維持することができ、測定子の管理を容易に行うことができる。
【００１２】
又、この場合、上記成形複合材Ｆと基部材３とを嵌合孔部４ａ及び嵌合凸部４ｂからなる位置決め部４により位置決めしてろう付けＲされてなるから、成形複合材Ｆと基部材３とを容易にろう付けすることができる。
【００１３】
図８乃至図１３に示す第二形態例は、本発明をスピンドル式ダイヤルゲージの測定子に適用したもので、１は測定子であって、この場合、測定子１は先端部材２及び基部材３並びに基幹部材５からなり、基部材３は基幹部材５に螺着され、この先端部材２は超硬合金層２ａ及び人造ダイヤモンド層２ｂからなる成形複合材Ｆからなり、この成形複合材Ｆは人造ダイヤモンド層２ｂを先端側に配して超硬合金層２ａを基部材３にろう付けＲして固定され、この成形複合材Ｆは所定寸法に仕上加工されてなる。
【００１４】
この場合、上記成形複合材Ｆと基部材３とを嵌合孔部４ａ及び成形複合材Ｆの基部の嵌合凸部４ｂからなる位置決め部４により位置決めしてろう付けＲされている。
【００１５】
この測定子１の製造方法を図９乃至図１３により説明すると、先ず、図９の如く、超硬合金層２ａ及び人造ダイヤモンド層２ｂからなる成形複合材Ｆを測定子１の先端部材２としてワイヤー放電加工により刳り貫き切断加工すると共に図１０の如く、測定子１の基部材３及び基幹部材５をステンレス鋼やその他の金属により製作し、次いで、図１１の如く、上記成形複合材Ｆの超硬合金層２ａの基部を嵌合凸部４ｂに形成すると共に基部材３に嵌合孔部４ａを形成し、次いで、図１２の如く、嵌合孔部４ａに嵌合凸部４ｂを嵌合して位置決めし、成形複合材からなる先端部材２を人造ダイヤモンド層２ｂを先端側に配して超硬合金層２ａを基部材３にろう付けＲして固定し、次いで、図１３に示す如く、この成形複合材Ｆを所定寸法に仕上加工して測定子１を製造するようにしている。
【００１６】
この実施の第二形態例にあっても、上記第一形態例と同様な作用効果を得ることができる。
【００１７】
尚、本発明は上記実施の形態例に限られるものではなく、測定子１、先端部材２、基部材３、位置決め部４、基幹部材５の形状や材質は適宜変更して設計される。
【００１８】
【発明の効果】
本発明は上述の如く、請求項１又は３記載の発明にあっては、測定子の先端部材は超硬合金層及び人造ダイヤモンド層からなる成形複合材からなり、成形複合材は人造ダイヤモンド層を先端側に配して超硬合金層を基部材にろう付けして固定され、成形複合材は所定寸法に仕上加工されてなるから、人造ダイヤモンドをステンレス鋼やその他の金属に取り付けるには、接着剤による接着手段のみであるところ、超硬合金層及び人造ダイヤモンド層からなる成形複合材を用いて、超硬合金層をろう付けすることにより、測定子の先端に人造ダイヤモンドを取り付けることができ、従って、人造ダイヤモンド層が被測定物に直接接触することになり、ダイヤモンドのもつ耐摩耗性によって測定子の測定摩耗を抑制することができ、測定精度を長期間維持することができ、測定子の管理を容易に行うことができる。
【００１９】
又、請求項２記載の発明にあっては、上記成形複合材と基部材とを嵌合孔部及び嵌合凸部からなる位置決め部により位置決めしてろう付けされてなるから、成形複合材と基部材とを容易にろう付けすることができる。
【００２０】
以上の如く、所期の目的を充分達成することができる。
【図面の簡単な説明】
【図１】本発明の実施の第一形態例の全体斜視図である。
【図２】本発明の実施の第一形態例の部分断面図である。
【図３】本発明の実施の第一形態例の製造工程図である。
【図４】本発明の実施の第一形態例の製造工程図である。
【図５】本発明の実施の第一形態例の製造工程図である。
【図６】本発明の実施の第一形態例の製造工程図である。
【図７】本発明の実施の第一形態例の製造工程図である。
【図８】本発明の実施の第二形態例の斜視図である。
【図９】本発明の実施の第二形態例の製造工程図である。
【図１０】本発明の実施の第二形態例の製造工程図である。
【図１１】本発明の実施の第二形態例の製造工程図である。
【図１２】本発明の実施の第二形態例の製造工程図である。
【図１３】本発明の実施の第二形態例の製造工程図である。
【図１４】てこ式ダイヤルゲージの斜視図である。
【図１５】てこ式ダイヤルゲージの測定子の斜視図である。
【図１６】スピンドル式ダイヤルゲージの斜視図である。
【図１７】スピンドル式ダイヤルゲージの測定子の斜視図である。
【符号の説明】
Ｆ　成形複合材
Ｒ　ろう付け
１　測定子
２　先端部材
３　基部材
３ａ　超硬合金層
３ｂ　人造ダイヤモンド層
４　位置決め部
４ａ　嵌合孔部
４ｂ　嵌合凸部
【図１】
2004053418.tif 000003
【図２】
2004053418.tif 000004
【図３】
2004053418.tif 000005
【図４】
2004053418.tif 000006
【図５】
2004053418.tif 000007
【図６】
2004053418.tif 000008
【図７】
2004053418.tif 000009
【図８】
2004053418.tif 000010
【図９】
2004053418.tif 000011
【図１０】
2004053418.tif 000012
【図１１】
2004053418.tif 000013
【図１２】
2004053418.tif 000014
【図１３】
2004053418.tif 000015
【図１４】
2004053418.tif 000016
【図１５】
2004053418.tif 000017
【図１６】
2004053418.tif 000018
【図１７】
2004053418.tif 000019